(57)【要約】【課題】取引伝票の入力簡易化と、受付番号入力ミスによる窓口端末等への画面表示誤りを防止する。【解決手段】受付番号を付与し、受付番号と顧客情報とを関連づけて管理サーバに格納するとともに、受付番号を記録した記録媒体を発行する受付端末と、受付番号取得手段を備え、取得した受付番号に基づき、管理サーバから対応する顧客情報を読み出し、伝票の所定箇所に自動印刷する電子記帳台と、電子記帳台にて処理が完了した顧客情報を受信し、顧客の取引処理を行う窓口端末と、受付番号と顧客情報とを格納した管理サーバとを備えた。【選択図】図１
2010079604.tif 000002
【特許請求の範囲】
【請求項１】
複数の取引処理を順次窓口に誘導し、当該窓口で受付けて処理する窓口取引処理システムにおいて、
顧客が取引を選択した際に受付番号を付与し、当該受付番号と顧客情報とを関連づけて管理サーバに格納するとともに、当該受付番号を記録した記録媒体を発行する受付端末と、
受付番号取得手段を備え、当該受付番号取得手段により取得した受付番号に基づき、前記管理サーバから対応する顧客情報を読み出し、伝票の所定箇所に自動印刷する電子記帳台と、
前記電子記帳台にて処理が完了した顧客情報を受信し、当該顧客の取引処理を行う窓口端末と、
前記受付番号と前記顧客情報とを格納した管理サーバとを備えたことを特徴とする窓口取引処理システム。
【請求項２】
前記受付番号取得手段は、入力した受付番号に対応する前記管理サーバ内の顧客情報の１つである暗証番号と、入力した暗証番号とが一致した場合に、入力した受付番号を受付けるようにしたことを特徴とする請求項１記載の窓口取引処理システム。
【請求項３】
前記受付番号取得手段は、前記受付端末が発行する記録媒体に印刷したバーコードを、前記電子記帳台に設けたバーコードスキャナにより読み取るようにしたことを特徴とする請求項１記載の窓口取引処理システム。
【請求項４】
前記受付番号取得手段は、入力した受付番号に対応する前記管理サーバ内の顧客情報と、前記電子記帳台に設けたカードリーダで読み取った取引カードの顧客情報とが一致した場合に、入力した受付番号を受付けるようにしたことを特徴とする請求項１記載の窓口取引処理システム。
【請求項５】
前記受付番号取得手段は、前記受付端末に設けた顔画像撮影手段にて撮影し、前記管理サーバに前記受付番号とともに格納した顔画像と、前記電子記帳台に設けた顔画像撮影手段にて撮影した顔画像とが、前記電子記帳台に設けた顔画像照合手段にて一致した場合に、一致した顔画像に対応する前記管理サーバ内の受付番号を読み出すようにしたことを特徴とする請求項１記載の窓口取引処理システム。
【発明の詳細な説明】
【技術分野】
【０００１】
本発明は、金融機関等において顧客を窓口に誘導するための窓口取引処理システムであって、特に、受付端末と電子記帳台におけるデータの連携を行う窓口取引処理システムに関する。
【背景技術】
【０００２】
従来、金融機関等における顧客を窓口に誘導するための窓口取引処理システムにおいて、電子記帳台により顧客が取引伝票に取引データの入力を行うと、窓口端末装置が即時処理可能でなければ、取引データがファイル機構に格納され、発券機構が受付番号を印字したカード型記録媒体を出力し、顧客は顧客誘導装置により受付番号によって呼び出され、窓口に行って窓口行員にカード型記録媒体を渡し、窓口行員は窓口端末装置のカードリーダにより受け取ったカード型記録媒体の受付番号を読み取り、ファイル機構から転送した取引データを使って取引処理を行う技術があった（例えば、特許文献１参照）。
【０００３】
また、金融窓口業務システムにおいて、プレカウンタ１のカードリーダ１３に金融カードがセットされると、顧客データベースから顧客情報を取り込み、取引種別及び取引金額等の取引内容を顧客に入力させ、プレカウンタ１は、受付情報を営業店サーバ３及び窓口端末２に転送し、かつ伝票作成部１４から伝票を発行し、窓口端末２は、該受付情報に基づき、画面表示部２１の画面上に顧客の待ち情報を表示し、該待ち情報に基づきテラーが顧客を呼び出す際に、処理画面を画面表示部２１に表示させ、既に得られている情報を該処理画面に取り込み表示させ、伝票、画面表示部２１の表示内容等を確認したら、取引情報を営業店サーバ３に転送させる技術があった（例えば、特許文献２）。
【特許文献１】特開平７−９８７４０
【特許文献２】特開平１１−２５０１４８
【発明の開示】
【発明が解決しようとする課題】
【０００４】
しかしながら、上記従来の技術では、顧客は電子記帳台で取引伝票への取引データ入力を全て行わなければならず、また、テラーが窓口端末の画面上に表示された顧客待ち情報から誤って他の顧客を選択したりした場合に、他の顧客の取引画面の表示や顧客情報が表示されてしまうという問題があった。
【課題を解決するための手段】
【０００５】
本発明は、前述の課題を解決するために次の手段を採用する。複数の取引処理を順次窓口に誘導し、当該窓口で受付けて処理する窓口取引処理システムにおいて、顧客が取引を選択した際に受付番号を付与し、当該受付番号と顧客情報とを関連づけて管理サーバに格納するとともに、当該受付番号を記録した記録媒体を発行する受付端末と、受付番号取得手段を備え、当該受付番号取得手段により取得した受付番号に基づき、前記管理サーバから対応する顧客情報を読み出し、伝票の所定箇所に自動印刷する電子記帳台と、前記電子記帳台にて処理が完了した顧客情報を受信し、当該顧客の取引処理を行う窓口端末と、前記受付番号と前記顧客情報とを格納した管理サーバとを備えるようにした。
【発明の効果】
【０００６】
本発明の窓口取引処理システムによれば、複数の取引処理を順次窓口に誘導し、当該窓口で受付けて処理する窓口取引処理システムにおいて、顧客が取引を選択した際に受付番号を付与し、当該受付番号と顧客情報とを関連づけて管理サーバに格納するとともに、当該受付番号を記録した記録媒体を発行する受付端末と、受付番号取得手段を備え、当該受付番号取得手段により取得した受付番号に基づき、前記管理サーバから対応する顧客情報を読み出し、伝票の所定箇所に自動印刷する電子記帳台と、前記電子記帳台にて処理が完了した顧客情報を受信し、当該顧客の取引処理を行う窓口端末と、前記受付番号と前記顧客情報とを格納した管理サーバとを備えるようにしたので、顧客は電子記帳台で取引伝票への取引データ入力を全て行う必要がなく、また、テラーが窓口端末の画面上に表示された顧客待ち情報から誤って他の顧客を選択したりした場合に、他の顧客の取引画面の表示や顧客情報が表示されてしまうことも防止できる。
【発明を実施するための最良の形態】
【０００７】
以下、本発明に係る実施形態例を、図面を用いて説明する。なお図面に共通する要素には同一の符号を付す。
【実施例１】
【０００８】
（構成）
図１は実施例１における窓口取引処理システム１の構成図である。
【０００９】
図１に示すように、窓口取引処理システム１は、受付端末１１と、電子記帳台１２と、管理サーバ１３と、窓口端末１４とから構成され、それぞれネットワークに接続されている。
【００１０】
受付端末１１は、内部に格納されているアプリケーションにより各ユニットを制御する制御部１１１と、タッチパネルとセットになっており、顧客に対する取引選択の画面表示とタッチパネルによる取引選択や入力操作を行う表示部１１２と、顧客のキャッシュカードから各種情報を読み取るカードリーダ１１３と、顧客の通帳から各種情報を読み取る通帳リーダ１１４と、受付番号カードを発行するレシートプリンタ１１５とから構成される。
【００１１】
電子記帳台１２は、内部に格納されているアプリケーションにより各ユニットを制御する制御部１２１と、タッチパネルとセットになっており、顧客に対する取引選択の画面表示とタッチパネルによる取引選択や入力操作を行う表示部１２１と、入力完了した取引伝票を出力するプリンタ１２３と、出力した伝票への捺印に使用する朱肉１２４と、出力された伝票に誤りがあったときの修正に使用するペン１２５とから構成される。
【００１２】
管理サーバ１３は、窓口取引処理システム１のソフトウェア、顧客情報、及び顧客待ち状況が格納されており、受付端末１１、電子記帳台１２、又は窓口端末１４は必要なデータを管理サーバ１３から参照する。
【００１３】
窓口端末１４は、テラーが操作する端末であり、顧客待ち状況を参照することで受け付けた順番に従い、顧客を窓口に誘導する。
【００１４】
（動作）
以上の構成により実施例１の窓口取引処理システム１は、以下のように動作する。この動作を、図２を用いて、以下詳細に説明する。
【００１５】
顧客は受付端末１１の表示部１１２の画面表示に従い、取引を選択する（ステップＳ１０１）。
【００１６】
次にキャッシュカード又は通帳を挿入し、管理サーバ１３に格納されたデータから顧客を判別し（ステップＳ１０２）、受付番号カードを発行する（ステップＳ１０３）。
【００１７】
顧客は電子記帳台１２にて、受付番号の入力（ステップＳ２０１）と暗証番号の入力（ステップＳ２０２）後、取引の選択を行う（ステップＳ２０３）。
【００１８】
ステップＳ２０１とステップ２０２で入力した情報をもとに管理サーバ１３からのデータ連携を行うことで、伝票記入に必要な顧客情報を自動入力する（ステップＳ２０４）。
【００１９】
必要事項の入力が完了したら、確認画面にて入力内容を確認（ステップＳ２０５）後、プリンタ１２３から伝票が出力される（ステップＳ２０６）。
【００２０】
顧客は、朱肉１２４を用いて出力された伝票に捺印し（ステップＳ２０７）、テラーから呼び出されると（ステップＳ３０１）、窓口端末１４にて勘定処理が行われる（ステップＳ３０２）。
【００２１】
（実施例１の効果）
以上のように、実施例１の窓口取引処理システム１によれば、電子記帳台１２にて入力した受付番号に対応する管理サーバ１３内の顧客情報の１つである暗証番号と、電子記帳台１２にて入力した暗証番号とが一致した場合に、電子記帳台１２にて入力した受付番号を受付けるようにし、受付けた受付番号に基づき、管理サーバ１３から対応する顧客情報を読み出し、伝票の所定箇所に自動印刷するようにしたことにより、顧客の受付番号入力ミスによる電子記帳台１２や窓口端末１４への画面表示誤りを防止して顧客データ流出を防止することができ、電子記帳台にて顧客による取引伝票への取引データ入力を全て行う必要がなくなる。
【実施例２】
【００２２】
（構成）
実施例２における窓口取引処理システム１の構成は、実施例１の構成と同様である。
【００２３】
実施例２では、実施例１の電子記帳台１２内の表示部１２２において、タッチパネル以外にバーコードスキャナを付加し、実施例１の受付端末１１内のレシートプリンタ１１５において、発行される受付番号カードにバーコードを印刷するようにした点で異なる。
【００２４】
（動作）
以上の構成により実施例２の窓口取引処理システム１は、以下のように動作する。この動作を、図３を用いて、以下詳細に説明する。
【００２５】
顧客は受付端末１１の表示部１１２の画面表示に従い、取引を選択する（ステップＳ１０１）。
【００２６】
次にキャッシュカード又は通帳を挿入し、管理サーバ１３に格納されたデータから顧客を判別し（ステップＳ１０２）、受付番号カードを発行する（ステップＳ１０３）。
【００２７】
顧客は電子記帳台１２にて、受付番号カードに印刷されているバーコードを表示部１２２のバーコードスキャナ（図示しない）にて読み取らせた後（ステップＳ２１１）、取引の選択を行う（ステップＳ２０３）。
【００２８】
ステップＳ２１１で読み取った情報をもとに管理サーバ１３からのデータ連携を行うことで、伝票記入に必要な顧客情報を自動入力する（ステップＳ２０４）。
【００２９】
以降の処理は、実施例１と同様のため、説明を省略する。
【００３０】
（実施例２の効果）
以上のように、実施例２の窓口取引処理システム１によれば、電子記帳台１２にバーコードスキャナを設け、受付番号カードに印刷されたバーコードから読み取った情報をもとに受付番号を取得するようにしたので、顧顧客の受付番号入力ミスによる電子記帳台１２や窓口端末１４への画面表示誤りを防止して顧客データ流出を防止することができる。
【００３１】
さらに、顧客が暗証番号を忘れた場合でも操作を行うことができるため、操作性の向上を図ることができる。
【実施例３】
【００３２】
（構成）
図４は、実施例３における窓口取引処理システム１の構成図である。
【００３３】
実施例３では、実施例１の電子記帳台１２において、カードリーダ１２６を付加した点で異なる。
【００３４】
（動作）
以上の構成により実施例３の窓口取引処理システム１は、以下のように動作する。この動作を、図５を用いて、以下詳細に説明する。
【００３５】
顧客は受付端末１１の表示部１１２の画面表示に従い、取引を選択する（ステップＳ１０１）。
【００３６】
次にキャッシュカード又は通帳を挿入し、管理サーバ１３に格納されたデータから顧客を判別し（ステップＳ１０２）、受付番号カードを発行する（ステップＳ１０３）。
【００３７】
顧客は電子記帳台１２にて、受付番号の入力（ステップＳ２０１）とキャッシュカードをカードリーダ１２６に挿入して磁気データを読み取らせ（ステップＳ２１２）、取引の選択を行う（ステップＳ２０３）。
【００３８】
ステップＳ２０１で入力した情報とステップＳ２１２で読み取った情報をもとに管理サーバ１３からのデータ連携を行うことで、伝票記入に必要な顧客情報を自動入力する（ステップＳ２０４）。
【００３９】
以降の処理は、実施例１と同様のため、説明を省略する。
【００４０】
（実施例３の効果）
以上のように、実施例３の窓口取引処理システム１によれば、電子記帳台１２にカードリーダを設け、入力した受付番号に対応する前記管理サーバ内の顧客情報と、前記電子記帳台に設けたカードリーダ１２６で読み取ったキャッシュカード又は通帳の顧客情報とが一致した場合に、入力した受付番号を受付けるようにしたので、安価な構成で、顧客の受付番号入力ミスによる電子記帳台１２や窓口端末１４への画面表示誤りを防止して顧客データ流出を防止することができる。
【００４１】
なお、本実施例では、カードリーダを付加した構成として説明したが、非接触ＩＣカードリーダを付加した構成とすれば、カードタッチ操作でよいので、上記効果に加えて顧客の操作性を向上させることができる。
【実施例４】
【００４２】
（構成）
図６は、実施例４における窓口取引処理システム１の構成図である。
【００４３】
実施例４では、実施例１における受付端末１１にカメラ１１６を付加し、電子記帳台１２にカメラ１２７を付加した点で異なる。
【００４４】
（動作）
以上の構成により実施例４の窓口取引処理システム１は、以下のように動作する。この動作を、図７を用いて、以下詳細に説明する。
【００４５】
顧客は受付端末１１の表示部１１２の画面表示に従い、取引を選択する（ステップＳ１０１）。
【００４６】
次にキャッシュカード又は通帳を挿入し、管理サーバ１３に格納されたデータから顧客を判別し（ステップＳ１０２）、カメラ１１６にて顧客の顔を撮影して管理サーバ１３に格納し（ステップＳ１０４）、受付番号カードを発行する（ステップＳ１０３）。
【００４７】
顧客は電子記帳台１２にて、カメラ１２７にて顧客の顔を撮影し（ステップＳ２１３）、取引の選択を行う（ステップＳ２０３）。
【００４８】
ステップＳ２１３で取得した顔画像データとステップＳ１０４にて管理サーバ１３に格納した顔画像データとで顔認識によるデータ照合を行い（ステップＳ２１４）、管理サーバ１３から対応した、伝票記入に必要な顧客情報を自動入力する（ステップＳ２０４）。
【００４９】
以降の処理は、実施例１と同様のため、説明を省略する。
【００５０】
（実施例４の効果）
以上のように、実施例４の窓口取引処理システム１によれば、受付端末１１に設けたカメラ１１６にて撮影し、管理サーバ１３に受付番号とともに格納した顔画像と、電子記帳台１２に設けたカメラ１２７にて撮影した顔画像とが、電子記帳台１２に設けた顔画像照合手段にて一致した場合に、一致した顔画像に対応する管理サーバ１３内の受付番号を読み出すようにしたので、顧客の受付番号入力ミスによる電子記帳台１２や窓口端末１４への画面表示誤りを防止して顧客データ流出を防止することができる。
【００５１】
また、顧客は電子記帳台１２の前に立つだけでよいので、さらに操作性の向上が期待できる。
【産業上の利用可能性】
【００５２】
以上述べたように、本発明は、金融機関等において顧客を窓口に誘導するための窓口取引処理システムとして広く用いることができる。
【図面の簡単な説明】
【００５３】
【図１】実施例１における窓口取引システム１の構成図である。
【図２】実施例１における処理フローを示す図である。
【図３】実施例２における処理フローを示す図である。
【図４】実施例３における窓口取引システム１の構成図である。
【図５】実施例３における処理フローを示す図である。
【図６】実施例４における窓口取引システム１の構成図である。
【図７】実施例４における処理フローを示す図である。
【符号の説明】
【００５４】
１  窓口取引システム
１１  受付端末
１２  電子記帳台
１３  管理サーバ
１４  窓口端末
１１６  カメラ
１２２  表示部
１２６  カードリーダ
１２７  カメラ
【図１】
2010079604.tif 000003
【図２】
2010079604.tif 000004
【図３】
2010079604.tif 000005
【図４】
2010079604.tif 000006
【図５】
2010079604.tif 000007
【図６】
2010079604.tif 000008
【図７】
2010079604.tif 000009